(57)【要約】【課題】吸収体２Ｃに括れ部２Ｃ１が設けられている場合であっても、所望の吸収性能を発揮させる。【解決手段】本実施形態に係る使い捨ておむつ１では、吸収体２Ｃの最大幅Ｗｎａｘの位置よりも製品幅方向Ｗの外側に、製品長手方向Ｌに伸縮可能な少なくとも１対の脚回り弾性部材３が設けられており、脚回り弾性部材３よりも製品幅方向Ｗの内側で且つ吸収体２Ｃの最大幅Ｗｍａｘ１/Ｗｍａｘ２の位置よりも製品幅方向Ｗの外側に、製品長手方向Ｌに伸縮可能な少なくとも１対の内側弾性部材４が設けられており、腹側Ｆにおいて、括れ部２Ｃ１は、脚回り弾性部材３の有効長の範囲Ｒ１よりも製品長手方向Ｌの外側にまで到達しており、製品長手方向Ｌにおいて、内側弾性部材４の有効長の腹側Ｆの端縁Ｅ１は、括れ部２Ｃ１が設けられている範囲Ｒ２内に存在する。【選択図】図１
2015198823.tif 000002
【特許請求の範囲】
【請求項１】
互いに直交する製品長手方向及び製品幅方向を有しており、トップシートとバックシートと前記トップシートと前記バックシートとの間に配置されている吸収体とを具備している使い捨ておむつであって、
前記製品長手方向には、背側及び腹側が規定されており、
前記吸収体の最大幅の位置よりも前記製品幅方向の外側に、前記製品長手方向に伸縮可能な少なくとも１対の脚回り弾性部材が設けられており、
前記１対の脚回り弾性部材よりも前記製品幅方向の内側で且つ前記吸収体の最大幅の位置よりも前記製品幅方向の外側に、前記製品長手方向に伸縮可能な少なくとも１対の内側弾性部材が設けられており、
前記吸収体は、括れ部を有しており、
前記腹側において、前記括れ部は、前記脚回り弾性部材の有効長の範囲よりも前記製品長手方向の外側にまで到達しており、
前記製品長手方向において、前記内側弾性部材の有効長の前記腹側の端縁は、前記括れ部が設けられている範囲内に存在することを特徴とする使い捨ておむつ。
【請求項２】
前記吸収体において、前記腹側における最大幅よりも前記背側における最大幅の方が短くなるように構成されており、
前記吸収体よりも前記製品幅方向の外側に、防漏壁が設けられており、
前記防漏壁は、前記トップシートに固定されている固定部と、前記固定部から起立するように構成されている起立部とを有しており、
前記防漏壁の前記固定部と前記吸収体の前記製品幅方向の側縁との距離が、前記背側よりも前記腹側の方が短くなるように構成されていることを特徴とする請求項１に記載の使い捨ておむつ。
【請求項３】
前記内側弾性部材の応力は、前記脚回り弾性部材の応力と同等となる或いは大きくなるように構成されていることを特徴とする請求項１又は２に記載の使い捨ておむつ。
【請求項４】
前記括れ部が設けられている範囲よりも前記製品長手方向の外側において、前記防漏壁の前記起立部の前記製品長手方向の両端縁は、前記トップシートに固定されていることを特徴とする請求項２に記載の使い捨ておむつ。
【請求項５】
前記内側弾性部材は、前記防漏壁の前記固定部の前記製品幅方向の両側に設けられていることを特徴とする請求項２又は４に記載の使い捨ておむつ。
【発明の詳細な説明】
【技術分野】
【０００１】
本発明は、使い捨ておむつに関する。
【背景技術】
【０００２】
従来、使い捨ておむつにおける吸収体の形状を着用者の体の形状にフィットさせるために、かかる使い捨ておむつの股下域において吸収体に括れ部を設ける技術が知られている。
【０００３】
ここで、上述の括れ部が設けられている吸収体を有する使い捨ておむつの股下域において、密着性及び装着感を向上させるために、製品長手方向に沿って第１股下回り弾性部材を設け、かかる第１股下回り弾性部材の製品幅方向の内側に製品長手方向に沿って第２股下回り弾性部材を設ける技術について知られている（例えば、特許文献１参照）。
【先行技術文献】
【特許文献】
【０００４】
【特許文献１】特開２００８-１１９４１６号公報
【発明の概要】
【発明が解決しようとする課題】
【０００５】
しかしながら、上述の使い捨ておむつでは、第２股下回り弾性部材が、股下域において吸収体と重なる領域に設けられている。
【０００６】
ここで、股下域は、使い捨ておむつを着用者に装着する際に、着用者の左右の足で挟まれて吸収体に最も負荷がかかる部分であり、吸収体が変形しやすい部分である。
【０００７】
上述の使い捨ておむつでは、このように変形しやすい部分である股下域の吸収体と重なる領域に、製品長手方向に沿って第２股下回り弾性部材が設けられているため、股下域において、かかる第２股下回り弾性部材が収縮する力によって吸収体が製品長手方向に沿って変形し、吸収体が期待される吸収性能を発揮することができなくなってしまうという問題点があった。
【０００８】
そこで、本発明は、上述の課題に鑑みてなされたものであり、吸収体に括れ部が設けられている場合であっても、所望の吸収性能を発揮させることができる使い捨ておむつを提供することを目的とする。
【課題を解決するための手段】
【０００９】
本発明の第１の特徴は、互いに直交する製品長手方向及び製品幅方向を有しており、トップシートとバックシートと前記トップシートと前記バックシートとの間に配置されている吸収体とを具備している使い捨ておむつであって、前記製品長手方向には、背側及び腹側が規定されており、前記吸収体の最大幅の位置よりも前記製品幅方向の外側に、前記製品長手方向に伸縮可能な少なくとも１対の脚回り弾性部材が設けられており、前記１対の脚回り弾性部材よりも前記製品幅方向の内側で且つ前記吸収体の最大幅の位置よりも前記製品幅方向の外側に、前記製品長手方向に伸縮可能な少なくとも１対の内側弾性部材が設けられており、前記吸収体は、括れ部を有しており、前記腹側において、前記括れ部は、前記脚回り弾性部材の有効長の範囲よりも前記製品長手方向の外側にまで到達しており、前記製品長手方向において、前記内側弾性部材の有効長の前記腹側の端縁は、前記括れ部が設けられている範囲内に存在することを要旨とする。
【発明の効果】
【００１０】
本発明によれば、吸収体に括れ部が設けられている場合であっても、所望の吸収性能を発揮させることができる使い捨ておむつを提供することができる。
【図面の簡単な説明】
【００１１】
【図１】本発明の第１の実施形態に係る使い捨ておむつの肌当接面側から見た平面図である。
【図２】図１におけるＸ-Ｘ断面図である。
【発明を実施するための形態】
【００１２】
図１及び図２を参照して、本発明の第１の実施形態に係る使い捨ておむつ１について説明する。
【００１３】
なお、以下の図面の記載において、同一又は類似の部分には、同一又は類似の符号を付している。ただし、図面は模式的なものであり、各寸法の比率等は現実のものとは異なることに留意すべきである。
【００１４】
したがって、具体的な寸法等は、以下の説明を参酌して判断すべきである。また、図面相互間においても互いの寸法の関係や比率が異なる部分が含まれ得る。
【００１５】
図１に、本実施形態に係る使い捨ておむつ１の肌当接面側から見た平面図を示し、図２に、図１におけるＸ-Ｘ断面図を示す。
【００１６】
図１に示すように、本実施形態に係る使い捨ておむつ１は、互いに直交する製品長手方向Ｌ及び製品幅方向Ｗを有している。また、本実施形態に係る使い捨ておむつ１は、製品長手方向Ｌにおいて、背側Ｂ及び腹側Ｆを有している。
【００１７】
また、図１及び図２に示すように、本実施形態に係る使い捨ておむつ１は、トップシート２Ａと、バックシート２Ｄと、トップシート２Ａとバックシート２Ｄとの間に配置されている吸収体２Ｃとを具備している。
【００１８】
また、図２に示すように、本実施形態に係る使い捨ておむつ１では、バックシートＤの非肌当接面側に、防水性の不織布シート２Ｂが設けられていてもよい。
【００１９】
例えば、トップシート２Ａは、不織布や織布や有孔プラスチックシートやメッシュシート等、液体を透過する構造のシート状の材料であれば、特に限定されない。これらの材料を構成する繊維は、ポリエチレン（ＰＥ）やポリプロピレン（ＰＰ）やポリエチレンテレフタレート（ＰＥＴ）等の単繊維や、ポリエチレン及びポリプロピレンをグラフト重合してなる繊維や、芯鞘構造等の複合繊維等が挙げられる。
【００２０】
吸収体２Ｃは、コアラップと、液体を吸収する吸収性コアとを有する。吸収性コアは、親水性繊維、高吸収性ポリマーを含む。親水性繊維の例としては、粉砕パルプ、コットン等のセルロース、レーヨン、フィブリルレーヨン等の再生セルロース、アセテート、トリアセテート等の半合成セルロース、粒子状ポリマー、繊維状ポリマー、熱可塑性疎水性化学繊維、又は、親水化処理を施した熱可塑性疎水性化学繊維等を単独又は混合して用いることができる。これらの中でも、低コストと吸収体の成形し易さとを考慮すると、粉砕パルプを使用することが好ましい。親水性繊維に高分子吸収体を混合したものを使用してもよい。
【００２１】
なお、吸収性コアは、コアラップによって包まれている。例えば、コアラップとしては、少なくとも肌面当接面側の一部に透透過性を有する各種の繊維不織布若しくはティッシュシート、具体的には、目付が１０〜３０ｇ/ｍ２のエアスルー繊維不織布やスパンボンド不織布やＳＭＳ不織布やティッシュシートを用いることができる。
【００２２】
例えば、バックシート２Ｄは、液不透過性で、かつ、透湿又は非透湿性のフィルムからなる。
【００２３】
ここで、図１に示すように、本実施形態に係る使い捨ておむつ１では、着用者の股下部に対応する股下域において、吸収体２Ｃは、凹状に窪んだ形状の括れ部２Ｃ１を有している。
【００２４】
かかる構成によれば、使い捨ておむつ１の装着時に、着用者の左右の脚に囲まれる腹部から背部に跨がる股下部に使い捨ておむつ１をフィットさせることができる。
【００２５】
特に、腹側Ｆにおける括れ部２Ｃ１が配置されている領域を多くすることで、剛性を有する吸収体２Ｃが着用者の股下部で盛り上がって着用者の身体から離れてしまうという事態を回避することができる。
【００２６】
また、図１及び図２に示すように、本実施形態に係る使い捨ておむつ１では、吸収体２Ｃの最大幅Ｗｍａｘ１/Ｗｍａｘ２の位置よりも製品幅方向Ｗの外側に、製品長手方向Ｌに伸縮可能な少なくとも１対の脚回り弾性部材３が設けられている。
【００２７】
さらに、図１及び図２に示すように、本実施形態に係る使い捨ておむつ１では、かかる脚回り弾性部材３よりも製品幅方向Ｗの内側で且つ吸収体２Ｃの最大幅Ｗｍａｘ１/Ｗｍａｘ２の位置よりも製品幅方向Ｗの外側に、製品長手方向Ｌに伸縮可能な少なくとも１対の内側弾性部材４が設けられている。
【００２８】
かかる構成によれば、内側弾性部材４が着用者の身体にフィットし、排泄物を効果的に堰き止めて吸収体２Ｃ側に排泄物を戻すことができる。また、内側弾性部材４が収縮することで、吸収体２Ｃを着用者の身体にフィットさせ続けることができる。
【００２９】
よって、脚回り弾性部材３及び内側弾性部材４は、製品幅方向Ｗにおいて吸収体２Ｃと重ならない領域に配置されている。
【００３０】
かかる構成によれば、使い捨ておむつ１の股下域において吸収体２Ｃの変形を抑制することができる。
【００３１】
具体的には、図２に示すように、本実施形態における使い捨ておむつ１では、内側弾性部材４は、バックシート２Ｄと不織布シート２Ｂとの間に配置されていてもよい。
【００３２】
かかる構成によれば、着用者の肌面と内側弾性部材４との間にバックシート２Ｄやトップシート２Ａ等が存在するため、着用者の肌面に対するクッション性を高めることができ、内側弾性部材４の肌当たりを和らげることができる。
【００３３】
なお、図１に示すように、本実施形態に係る使い捨ておむつ１では、腹側Ｆにおいて、括れ部２Ｃ１は、脚回り弾性部材３の有効長の範囲Ｒ１よりも製品長手方向Ｌの外側にまで到達している。
【００３４】
かかる構成によれば、使い捨ておむつ１を装着する際に、吸収体２Ｃに邪魔されることなく脚回り弾性部材３が着用者の鼠径部にフィットし、使い捨ておむつ１の装着後も、着用者の鼠径部に沿うように吸収体２Ｃが位置することで、着用者が脚を動かし易くなるという効果を奏する。その結果、着用者の鼠径部からの尿漏れを効果的に防止することができる。
【００３５】
また、図１に示すように、本実施形態に係る使い捨ておむつ１では、製品長手方向Ｌにおいて、内側弾性部材４の有効長の腹側Ｆの端縁Ｅ１は、括れ部２Ｃ１が設けられている範囲内に存在する。
【００３６】
なお、図１に示すように、本実施形態に係る使い捨ておむつ１では、製品長手方向Ｌにおいて、脚回り弾性部材３の有効長の範囲Ｒ１は、内側弾性部材４の有効長の範囲Ｒ２よりも長くなるように構成されている。
【００３７】
かかる構成によれば、着用者の股間部に近い部分において使い捨ておむつ１をしっかりと当て込むために、内側弾性部材４を設けつつ、内側弾性部材４の有効長の範囲Ｒ２よりも腹側Ｆ及び背側Ｂに脚回り弾性部材３を搭載しないことで、内側弾性部材４の有効長の範囲Ｒ２よりも腹側Ｆ及び背側Ｂにおいて吸収体Ｃの縮みを抑制することができ、体液の漏れ及び吸収体３の収縮に起因するズレを防ぐことができる。
【００３８】
ここで、脚回り弾性部材３の有効長の範囲Ｒ１は、脚回り弾性部材３が製品長手方向Ｌに伸縮可能な状態で配置されている範囲であり、内側弾性部材４の有効長の範囲Ｒ２は、内側弾性部材４が製品長手方向Ｌに伸縮可能な状態で配置されている範囲である。
【００３９】
また、図１に示すように、本実施形態に係る使い捨ておむつ１では、吸収体２Ｃにおいて、腹側Ｆにおける最大幅Ｗｍａｘ１よりも背側Ｂにおける最大幅Ｗｍａｘ２の方が短くなるように構成されていてもよい。
【００４０】
かかる構成によれば、腹側Ｆにおいて尿を広い面積で効率的に吸収することができる。
【００４１】
さらに、図１及び図２に示すように、本実施形態に係る使い捨ておむつ１では、吸収体２Ｃよりも製品幅方向Ｗの外側に、防漏壁５が設けられていてもよい。
【００４２】
ここで、防漏壁５は、トップシート２Ａに固定されている固定部５Ａと、固定部５Ａから起立するように構成されている起立部５Ｂとを有していてもよい。ここで、起立部５Ｂの自由端には、弾性部材が設けられている。
【００４３】
なお、図１に示すように、本実施形態に係る使い捨ておむつ１では、防漏壁５の固定部５Ａと吸収体２Ｃの製品幅方向Ｗの側縁との距離Ｗｆ/Ｗｂが、背側（Ｗｂ）よりも腹側（Ｗｆ）の方が短くなるように構成されていてもよい。
【００４４】
かかる構成によれば、腹側Ｆよりも背側Ｂにおいて防漏壁５の起立部５Ｂが立ち上がり易くなり、背側Ｂにおいて防漏壁の起立部５Ｂとトップシート２Ａとによって形成されるポケット（収容空間）を広くすることができ、軟便等の漏れを防止することができる。
【００４５】
また、本実施形態に係る使い捨ておむつ１では、内側弾性部材４の応力は、脚回り弾性部材３の応力と同等となる或いは大きくなるように構成されていてもよい。
【００４６】
かかる構成によれば、脚回り弾性部材３よりも吸収体２Ｃにより近い領域に設けられている内側弾性部材４が、着用者の身体の凹凸に沿って適切にフィットすることができる。
【００４７】
また、図１に示すように、本実施形態に係る使い捨ておむつ１では、括れ部２Ｃ１が設けられている範囲よりも製品長手方向Ｌの外側において、防漏壁５の起立部５Ｂの製品長手方向の両端縁Ｅ２は、トップシート２Ａに固定されていてもよい。
【００４８】
かかる構成によれば、着用者の体にフィットするように構成されている吸収体２Ｃの括れ部２Ｃ１と重ならない領域において、防漏壁５Ｃの起立部５Ｂがトップシート２Ａに固定されているため、防漏壁５が製品幅方向Ｗの外側に倒れ難いという効果を奏することができる。
【００４９】
さらに、図１及び図２に示すように、本実施形態に係る使い捨ておむつ１では、内側弾性部材４は、防漏壁５の固定部５Ａの製品幅方向Ｗの両側に設けられていてもよい。
【００５０】
かかる構成によれば、防漏壁５の固定部５Ａが製品長手方向Ｌに収縮するのを助けることができ、防漏壁５の起立部５Ｂが起立しやすくなり、防漏壁５の起立部５Ｂの自由端と着用者の身体とのフィット性を向上させることができる。
【００５１】
以上、上述の実施形態を用いて本発明について詳細に説明したが、当業者にとっては、本発明が本明細書中に説明した実施形態に限定されるものではないということは明らかである。本発明は、特許請求の範囲の記載により定まる本発明の趣旨及び範囲を逸脱することなく修正及び変更態様として実施することができる。従って、本明細書の記載は、例示説明を目的とするものであり、本発明に対して何ら制限的な意味を有するものではない。
【符号の説明】
【００５２】
１…使い捨ておむつ
２Ａ…トップシート
２Ｂ…不織布シート
２Ｃ…吸収体
２Ｃ１…括れ部
２Ｄ…不織布シート
３…脚回り弾性部材
４…内側弾性部材
５…防漏壁
５Ａ…固定部
５Ｂ…起立部
【図１】
2015198823.tif 000003
【図２】
2015198823.tif 000004
【手続補正書】
【提出日】平成26年6月13日(2014.6.13)
【手続補正１】
【補正対象書類名】特許請求の範囲
【補正対象項目名】全文
【補正方法】変更
【補正の内容】
【特許請求の範囲】
【請求項１】
互いに直交する製品長手方向及び製品幅方向を有しており、トップシートとバックシートと前記トップシートと前記バックシートとの間に配置されている吸収体とを具備している使い捨ておむつであって、
前記製品長手方向には、背側及び腹側が規定されており、
前記吸収体の最大幅の位置よりも前記製品幅方向の外側に、前記製品長手方向に伸縮可能な少なくとも１対の脚回り弾性部材が設けられており、
前記１対の脚回り弾性部材よりも前記製品幅方向の内側で且つ前記吸収体の最大幅の位置よりも前記製品幅方向の外側に、前記製品長手方向に伸縮可能な少なくとも１対の内側弾性部材が設けられており、
前記吸収体は、括れ部を有しており、
前記腹側において、前記括れ部は、前記脚回り弾性部材の有効長の範囲よりも前記製品長手方向の外側にまで到達しており、
前記製品長手方向において、前記内側弾性部材の有効長の前記腹側の端縁は、前記括れ部が設けられている範囲内に存在し、
前記吸収体において、前記腹側における最大幅よりも前記背側における最大幅の方が短くなるように構成されており、
前記吸収体よりも前記製品幅方向の外側に、防漏壁が設けられており、
前記防漏壁は、前記トップシートに固定されている固定部と、前記固定部から起立するように構成されている起立部とを有しており、
前記防漏壁の前記固定部と前記吸収体の前記製品幅方向の側縁との距離が、前記背側よりも前記腹側の方が短くなるように構成されていることを特徴とする使い捨ておむつ。
【請求項２】
前記内側弾性部材の応力は、前記脚回り弾性部材の応力と同等となる或いは大きくなるように構成されていることを特徴とする請求項１に記載の使い捨ておむつ。
【請求項３】
前記括れ部が設けられている範囲よりも前記製品長手方向の外側において、前記防漏壁の前記起立部の前記製品長手方向の両端縁は、前記トップシートに固定されていることを特徴とする請求項１又は請求項２に記載の使い捨ておむつ。
【請求項４】
前記内側弾性部材は、前記防漏壁の前記固定部の前記製品幅方向の両側に設けられていることを特徴とする請求項１から請求項３のいずれかに記載の使い捨ておむつ。
【手続補正２】
【補正対象書類名】明細書
【補正対象項目名】０００９
【補正方法】変更
【補正の内容】
【０００９】
本発明の第１の特徴は、互いに直交する製品長手方向及び製品幅方向を有しており、トップシートとバックシートと前記トップシートと前記バックシートとの間に配置されている吸収体とを具備している使い捨ておむつであって、前記製品長手方向には、背側及び腹側が規定されており、前記吸収体の最大幅の位置よりも前記製品幅方向の外側に、前記製品長手方向に伸縮可能な少なくとも１対の脚回り弾性部材が設けられており、前記１対の脚回り弾性部材よりも前記製品幅方向の内側で且つ前記吸収体の最大幅の位置よりも前記製品幅方向の外側に、前記製品長手方向に伸縮可能な少なくとも１対の内側弾性部材が設けられており、前記吸収体は、括れ部を有しており、前記腹側において、前記括れ部は、前記脚回り弾性部材の有効長の範囲よりも前記製品長手方向の外側にまで到達しており、前記製品長手方向において、前記内側弾性部材の有効長の前記腹側の端縁は、前記括れ部が設けられている範囲内に存在し、前記吸収体において、前記腹側における最大幅よりも前記背側における最大幅の方が短くなるように構成されており、前記吸収体よりも前記製品幅方向の外側に、防漏壁が設けられており、前記防漏壁は、前記トップシートに固定されている固定部と、前記固定部から起立するように構成されている起立部とを有しており、前記防漏壁の前記固定部と前記吸収体の前記製品幅方向の側縁との距離が、前記背側よりも前記腹側の方が短くなるように構成されていることを要旨とする。